(57)【特許請求の範囲】
【請求項１】
固定上版部を両側壁と平行に切断除去し、同時に両側壁上部に前記固定上版部切断面に対し直角切込を付けた温存本体壁間固定上版部除去箇所にプレキャストコンクリートによる上版ブロックを架設装填する既設暗渠側溝の改築において、上版ブロック両側面に直角の張出鋼梁が温存本体の両側壁上部直角切込内に収納固定されることを特徴とする門型構造自由勾配既設暗渠側溝の改築工法。
【請求項２】
温存本体の両側壁固定上版部を両側壁と平行に切断した除去箇所に架設装填し、門型構造自由勾配既設暗渠側溝を改築する上版ブロックにおいて、温存本体の両側壁上部に付けた前記固定上版部切断面に対し直角切込の内に収納固定される上版ブロックの両側面に直角の張出鋼梁が、鉄筋コンクリート構造として配設されている主鉄筋に溶接延長されコンクリート内に必要な根入部分を有していることを特徴とする上版ブロック。
【発明の詳細な説明】
【技術分野】
【０００１】  本発明は、門型構造自由勾配既設暗渠側溝の固定上版部改築工法および改築の際に使用されるプレキャストコンクリートに関する。
【背景技術】
【先行技術文献】
【０００２】  従来、既設蓋掛けＵ型側溝やボックス型暗渠側溝の部分改築は、経年による破損修繕や路面改良等に伴う排水施設延長の内一部分を更新するため、蓋版を入替えたり側溝の上部を除去して必要最小限に止めた改築としている。
しかし、プレキャストコンクリート自由勾配側溝では蓋版の入替えは出来ても門型構造のため本体の固定上版部分のみを除去できず、改築箇所は必要範囲を越えて側溝本体をも布設替えするものとなっている。
【０００３】
【特許文献１】  特許第３７８４８２０号公報
【発明の概要】
【発明が解決しようとする課題】
【０００４】  門型構造で一部蓋掛けのプレキャストコンクリートによる自由勾配既設暗渠側溝においても、埋設されたまま上部固定上版のみを除去し本体下部は温存して、底面勾配も維持したまま部分改築を可能とすることによって改築箇所を必要最小限に止めて全体の耐用年数をのばし、ライフサイクルコストを引き下げる。
【課題を解決するための手段】
【０００５】  カッターを用い、既設門型側溝の固定上版部のみを両側壁と平行に切断除去し、さらに両側壁上部に前記固定上版部切断面に対して直角の切込を付け温存本体とする。
そして、温存本体両側壁間上版部除去箇所にプレキャストコンクリートによる上版ブロックを架設装填して暗渠側溝を改築形成するものであるが、上版ブロック両側面からの張出鋼梁が温存本体の直角切込内に収納固定されて再構築が完成する。【０００６】  上版ブロックは両側面に直角の張出鋼梁が鉄筋コンクリートスラブ構造として配設されている主鉄筋の延長部分で且つ張出鋼梁の断面は幅より高さの大きいＩ形や鋼板等断面係数が大きく、曲げやせん断力に対し必要な強度を有するものであり、温存本体の切込内に収まって間隙がエポキシ樹脂や無収縮モルタル等の充填で突張材をもかねて剛結状態に固定され、設計荷重を支持する暗渠側溝の上版部となる。
【発明の効果】
【０００７】  既設門型側溝の両側壁間固定上版部を切断除去し、プレキャストコンクリートによる上版ブロックを入替え架設装填するだけで改築が完成する。
カッターによる上版部の切断除去や両側壁上部の直角切込ならびにプレキャストコンクリート上版ブロックの架設装填さらにエポキシ樹脂等の充填はすべて最上部での作業となり、既設暗渠側溝の改築が容易確実で安全にできる。【０００８】  門型構造であっても、ベースコンクリート上で調整コンクリートを挟んで地中に安定設置されている既設暗渠側溝基部は、最上部でのカッター作業によるため、埋設されたままの温存本体を損うことなく両側壁間隔が保持される。
固定上版部の切断除去と両側壁上部直角切込付け作業工程中の温存本体両側壁間隔保持はプレキャスト上版ブロックの入替え架設を一方の固定上版部を残し、他方から交互に順次すすめることにより十分可能となる。【０００９】  側溝上面の設計荷重は、改築後においても両側固定の上版ブロックを介して既設側溝温存本体に伝達され、均等支持の安定構造が維持される。【００１０】  プレキャストコンクリートによる上版ブロックは、１種類ですべてに対応でき、必要最小限の改築で耐用年数が延長し、ライフサイクルコストが低減する。
【図面の簡単な説明】
【００１１】
【図１】  上辺を除去した門型で一部蓋掛け構造の既設自由勾配暗渠側溝にプレキャストコンクリートによる上版ブロックを用いた改築の実施例を示す切欠斜面図であり、改築前を（イ）、改築後を（ロ）で示す。
【図２】  図１の実施例における門型で一部蓋掛け構造のプレキャストコンクリート側溝本体および落し蓋の斜面図である。
【図３】  図１のＡ〜Ａ線にそった断面図である。
【図４】  図１のＢ〜Ｂ線にそった断面図である。
【図５】  図１のＣ〜Ｃ線にそった断面図である。
【図６】  図１の実施例におけるプレキャストコンクリート上版ブロックの斜面図である。
【発明を実施するための形態】
【００１２】  一般に古くなったＵ型側溝やボックス型暗渠側溝の破損修繕、路面改造に伴う改築等の場合、蓋版の入替えや損耗した上版部分を除去して改築するが、門型構造自由勾配既設暗渠側溝にも適用するものであり、この場合、埋設されたままの既設暗渠側溝基部は排水施設としての主要通水断面と排水勾配を維持して温存固定される。
そして、側溝本体の上版部切断除去箇所にプレキャストコンクリートによる上版ブロックを設置する。
【００１３】  既設暗渠側溝基部の両側壁上部にはプレキャストコンクリート上版ブロック両側面の張出鋼梁に対応し収納固定する直角切込が形成される。
【００１４】  プレキャストコンクリート上版ブロック両側面の張出鋼梁は、鉄筋コンクリート構造スラブとして配設されている主鉄筋に溶接延長され、コンクリート内に必要な根入部分を有している。
【実施例】
【００１５】  図１は門型で一部蓋掛け構造の自由勾配側溝に上版ブロックを用いた実施例であり、改築前を（イ）、改築後を（ロ）で示す。
（１）は既設暗渠側溝基部、（２）は側溝本体、（３）は上版ブロック、（４）は固定上版である。
既設暗渠側溝基部（１）は図１、図５に示すとおり上版部分を両側壁と平行にカッター切除した両側側壁（５）（５）の上部に前記上版部分のカッター切除面に対して直角切込（１２）を設けてある。
既設暗渠側溝は、基礎（２０）上のベースコンクリート（１５）上面に側溝本体（２）を設置し、排水勾配に合わせて調整コンクリート（１４）を打設して埋設供用されているが、改修においては部分掘削して固定上版（４）を切断除去した壁間にプレキャストコンクリートによる上版ブロック（３）の架設装填を予定する。
両側壁（５）（５）上部の直角切込（１２）は、上版ブロック（３）両側面の張出鋼梁（１１）を収納し、間隙が樹脂モルタル（１３）の充填で固定され暗渠側溝の上版を形成する。【００１６】  既設暗渠側溝基部（１）は、図１、図２、図３、図４に示すとおり長さ２ｍ等のプレキャストコンクリート製品で、両側壁（５）（５）と固定上版（４）による門型構造で落し蓋（６）を小段（７）で支承する構造のブロックによっている。【００１７】  上版ブロック（３）は、図１、図５、図６に示すとおり両側面に直角の張出鋼梁（１１）がスラブ構造の主鉄筋（１０）から溶接延長して突出しており、門型構造側溝本体（２）の固定上版（４）と同一長さで、０．５ｍ等のプレキャストコンクリート製品として供給される。【００１８】  上版ブロック（３）の入替架設は、埋設されたままの既設暗渠側溝基部（１）が側圧に対しても安定し、両側壁間隔が少なくとも一方の固定上版（４）を残したまま維持し、また必要に応じ仮設の間隔保持（図示省略）を加えるなかで他方の固定上版（４）の切断除去とするもので、これを交互にすすめる。
【産業上の利用可能性】
【００１９】  既設側溝の固定上版除去、両側壁上部の直角切込はコンクリートカッターによるので、一般普及工法の範囲内のものである。
また、プレキャストコンクリート上版ブロックは、生産においても在来の道路用コンクリート製品と同等であり安価に供給出来る。
【符号の説明】
【００２０】    １    既設暗渠側溝基部
２    側溝本体
３    上版ブロック
４    固定上版
５    側壁
６    落し蓋
７    小段
１０  主鉄筋
１１  張出鋼梁
１２  直角切込
１３  樹脂モルタル
１４  調整コンクリート
１５  ベースコンクリート
２０  基礎
【図１】
0005314083.tif 000002
【図２】
0005314083.tif 000003
【図３】
0005314083.tif 000004
【図４】
0005314083.tif 000005
【図５】
0005314083.tif 000006
【図６】
0005314083.tif 000007